(57)【特許請求の範囲】
【請求項１】
ＩＣ等の電装部品を装備した回路が形成されている電装基板を取り付けるための構造であって、
上記電装基板の裏面を覆った状態で取り付けられる板金製のブラケットと、
上記ブラケットの一端を縦置きされた状態で摺動可能に案内する第１のガイド部材と、
上記ブラケットの他端の倒れを防止する第２のガイド部材と、
上記ブラケットを第１のガイド部材に挿入する第１のガイド部材の入り口付近に設けられ、上記ブラケットの挿入時、該ブラケットに接触して上記第２のガイド部材に向けて該ブラケットが押圧されながら移動を可能とされる第３のガイド部材とを有し、
上記第３のガイド部材は、上記ブラケットが挿入される際に該ブラケットを押圧しながら該ブラケットを取り付け支持位置に向け移動させる案内部と装置内の接地回路に接続される接地部とを兼ねることを特徴とする電装基板の取り付け構造。
【請求項２】
請求項１に記載の電装基板の取り付け構造を用いることを特徴とする画像形成装置。
【発明の詳細な説明】
【０００１】
【発明の属する技術分野】
本発明は、電装基板取り付け構造および画像形成装置に関し、さらに詳しくは機能増加のための装置を増設するための構造に関する。
【０００２】
【従来の技術】
複写機やプリンタあるいはファクシミリ装置などの画像形成装置には、画像形成処理を実行するため、およびこの実行に用いられる機構部品の駆動系を作動させるための制御部が設けられている。
制御部には、種々のＩＣなどの電装部品を有する回路が形成された電装基板、いわゆる、プリント基板が用いられ、このプリント基板の出力端子からハーネスを介して必要な箇所に信号が送信されるようになっている。
【０００３】
制御部として、画像形成装置内に装備されている既存の装置、つまり、潜像担持体である感光体やこれに対する帯電、書き込み、現像および転写、さらには感光体のクリーニング、定着の各工程での動作を集約して制御するために装置内部に固定されているメイン基板と、このメイン基板とは別に各部に配置されたコントロール基板とが採用されており、メイン基板とコントロール基板とはハーネスを介して接続されている。
【０００４】
【発明が解決しようとする課題】
各部に配置されているコントロール基板は、装置内に収容されているメイン基板と違って、保守時あるいは機能増設などの際に装置内部から取り外すことができるようになっている。
【０００５】
従来、コントロール基板の構成としては、装置側の開口を塞ぐことが可能なパネルとこのパネルに一体化されてハーネス接続用のコネクタを備えたプリント基板とで主要部が構成されており、装置に対して挿脱できるようになっている。
【０００６】
コントロール基板の挿脱時には、装置内に設けられているガイドレールに対してプリント基板を直接嵌合させて摺動させる。
しかし、近年では、画像形成装置の占有スペースを小さくするために、画像形成装置自体の小型化が図れられており、駆動系とこれの近傍にプリント基板が対向して位置している場合にはプリント基板との対向間隔も小さくする傾向にあることから、それら駆動系の部品とプリント基板側の部品との接触事故が起こりやすくなり、部品の破損を招く虞がある。このことから、プリント基板の挿脱作業は伸張に行わなければならず、コントロール基板を挿脱する際の作業性がきわめて悪くなる。しかも、ガイドレールには非導電性部材であるプリント基板が位置することから、プリント基板の接地性が不十分となりやすい。
【０００７】
一方、コントロール基板には、画像形成装置の機能増加を図る際にその機能用の装置を実装する場合がある。例えば、プリンタとして用いる際のデータ量の増加を希望する場合に記憶装置としてのハードディスクを新たに増設する場合がある。
新たな機能の付加あるいは既存機能の増大化を図るのは、いわゆる、オプション設定であり、この場合には、コントロール基板を取り出し、新たな機能増大化装置、例えばハードディスクをプリント基板に搭載することが行われる。
【０００８】
しかし、ハードディスクなどの機能増大化装置を付加した場合には、これら装置に対する信号用および電源用などのハーネスを接続する必要がある。従って、プリント基板上に取り付けられた機能増大化装置から画像形成装置本体内に向けてハーネスの配線を行うのはきわめて作業性が悪く、しかも、簡単にはできない。さらに、ハーネス類の延長距離が長くなると、電磁波の発生領域が多くなるという問題も出てくる。電磁波の影響は画像形成装置内での他の機器類の誤動作の原因にもなりかねない。
【０００９】
本発明の目的は、従来の電装部品取り付け構造および画像形成装置における問題に鑑み、制御ユニットの挿脱作業性の向上、接地性の確保および機能増設作業性の向上そして電磁波の漏洩を防止できる構成を備えた電装部品取り付け構造および画像形成装置を提供することにある。
【００１０】
【課題を解決するための手段】
請求項１記載の発明は、ＩＣ等の電装部品を装備した回路が形成されている電装基板を取り付けるための構造であって、上記電装基板の裏面を覆った状態で取り付けられる板金製のブラケットと、上記ブラケットの一端を縦置きされた状態で摺動可能に案内する第１のガイド部材と、上記ブラケットの他端の倒れを防止する第２のガイド部材と、上記ブラケットを第１のガイド部材に挿入する第１のガイド部材の入り口付近に設けられ、上記ブラケットの挿入時、該ブラケットに接触して上記第２のガイド部材に向けて該ブラケットが押圧されながら移動を可能とされる第３のガイド部材とを有し、上記第３のガイド部材は、上記ブラケットが挿入される際に該ブラケットを押圧しながら該ブラケットを取り付け支持位置に向け移動させる案内部と装置内の接地回路に接続される接地部とを兼ねることを特徴と特徴としている。
【００１１】
請求項２記載の発明は、請求項１に記載の電装基板の取り付け構造を画像形成装置に用いることを特徴としている。
【００１８】
【発明の実施の形態】
以下、図面に示した実施例により本発明の実施の形態を説明する。
図１は、本発明実施例による電装基板の取り付け構造が用いられる画像形成装置の外観図である。なお、図１中の符号Ｒは、画像形成装置１の後側を意味している。
本実施例における画像形成装置１は、プリンタ機能を出荷時の機能とするものであり、そのための機能を発揮させる構成が内部に備えられている。つまり、図示しないが、画像形成装置１の内部には、感光体およびこの感光体を対象として画像形成処理を行う帯電部、書き込み部、現像部、転写部、定着部、クリーニング部および給紙部が装備されており、こらら各部を対象としたシーケンス制御をはじめとする各種制御は画像形成装置１の内部に実装されているメイン制御基板によって行われる。
【００１９】
画像形成装置１には、メイン制御基板の他に、このメイン制御基板からの信号により各部での駆動装置を駆動制御する電装基板であるコントロール基板２が設けられている。
コントロール基板２は、後で詳細を説明する板金製のブラケット３に取り付けられており、ブラケット３は外装パネル３Ａを一体化してコントロール基板２を含むコントロールユニット４を構成している。
【００２０】
コントロール基板２には、図２に示すように、機能の付加に応じてＳＤＲＡＭモジュール５，エミュレーションモジュール（図示されず）、ハードディスク６などが増設できるようになっている。
【００２１】
コントロールユニット４は、開口部１Ａからコントロールユニットの取り付け支持位置に相当する画像形成装置内部に挿入可能であり、挿入されると内部に配備されているメイン制御基板７に直接接続されるようになっている。
メイン制御基板７と直接接続するために、コントロール基板２には、図２に示すように、コネクタ８が取り付けられており、このコネクタ８がメイン制御基板７側のコネクタ７Ａと接続されることにより、配線を用いないで直接メイン制御基板７と電気的接続状態が得られる。
メイン制御基板７と接続される状態となったコントロールユニット４は、ブラケット３の外装パネル３Ａが画像形成装置１の開口部１Ａを覆うことにより装置の外表面の一部として構成できるようになっている。
【００２２】
コントロール基板２が取り付けられているブラケット３およびこのブラケットを介したコントロールユニット４の取り付け構造が図３に示されている。
図３においてコントロール基板２は、その表裏各面のうちで、電装部品のリード端子が突出する裏面側を覆われた状態で板金製のブラケット３に取り付けられている。ブラケット３に対するコントロール基板２の取付は、図示しないが絶縁材質の締結部材などを用いて電気的にコントロール基板２がフロート状態となるようにされている。
【００２３】
ブラケット３は、開口部１Ａに対する挿脱方向（矢印で示す方向）と垂直方向で直角な方向の端部に指向ガイド部３Ｂ、３Ｃをそれぞれ備えている。
指向ガイド部３Ｂ、３Ｃは、開口部１Ａの内部において上下位置に設けられているガイドレール９，１０に嵌合することができ、嵌合することによりコントロール基板２を含むコントロールユニット４が縦置きされた状態で開口１Ａの内部に配置される。
【００２４】
指向ガイド部３Ｂ、３Ｃのうちで、縦置きされた場合のコントロールユニット４の上側に位置する指向ガイド部３Ｂは、ガイドレール９に一方の面をそして他方の面を開口部１Ａの内面にそれぞれ対向させる向きに張り出した片部で構成され、コントロールユニット４の下側に位置する指向ガイド部３Ｃは、コントロール基板２の搭載面と平行する向き、つまり縦方向に張り出した片部で構成されている。
【００２５】
ガイドレール９，１０のうちで、上部に位置するガイドレール９は、コントロールユニット４側の指向ガイド３Ｂに対してコントロールユニット４の倒れを防止できる構成とされ、下方に位置するガイドレール１０は、コントロールユニット４側の指向ガイド３Ｃを摺動可能な状態で挟み込むことができる一対のレールにより構成されている。
【００２６】
コントロールユニット４のブラケット３には、機能付加装置、例えば、ハードディスク６の設置スペースＳが設けられている。
設置スペースＳに近接しているコントロール基板２には、設置スペースＳに設置されるハードディスク６に対する通信用および電源用のコネクタ１１，１２が予め設けられており、ハードディスク６側とハーネス１３を介して電気的接続できるようになっている。
【００２７】
一方、コントロールユニット４が挿入される開口部１Ａの内部はコントロールユニット４の取り付け支持位置であり、その位置には、コントロールユニット４の接地部が設けられている。
接地部は、画像形成装置内の接地回路に接続された弾性部材からなるガイド部材１４であり、ガイド部材１４は、ブラケット３に対向する湾曲面の一部が切り裂かれてブラケット３の裏面に圧接できるようになっている。
【００２８】
ガイド部材１４は、切り裂かれた湾曲面の先端が開口部１Ａの内側に向けられており、これによってコントロールユニット４が開口部１Ａから内部へ挿入される際には、湾曲面がブラケット３の裏面を押圧しながらなびくことができ、ブラケット３を一方向に押圧することができる。この結果、ブラケット３の裏面が押圧されるコントロールユニット４は、挿入時、自動的に一方向に押圧されながら移動することができるので、ガイドレール９，１０との対向関係を適正化され、いわゆるふらつきなどを生じることなく取り付け支持位置に向け移動することができる。
【００２９】
本実施例は以上のような構成であるから、コントロール基板２がその裏面を金属製のブラケット３によって覆われているので、リード端子およびこれが接続されている回路パターンから発生する電磁波を遮蔽することができる。しかも、リード端子が突出する側にブラケット３が位置しているので、リード端子と他の部品との干渉を防ぐことができ、挿脱時での作業性を悪化させないようにして円滑な挿脱操作が可能となる。
【００３０】
コントロールユニット４のブラケット３は、開口部１Ａの内部に挿入されて取り付け支持位置に配置されると、裏面にガイド部材１４が圧接しているので、コントロールユニット４の接地回路が構成される。これにより、電磁波が周辺部に影響を及ぼすことがなく、周辺に配置されている機器類の誤動作などを未然に防止することが可能となる。
【００３１】
コントロールユニット４を開口部１Ａから内部に挿入する場合には、ブラケット３に有する指向ガイド部３Ｂ、３Ｃをガイドレール９，１０に嵌合させて押し込む。この場合には、ガイドレール９と指向ガイド部３Ｂとの嵌合により、コントロールユニット４の倒れが防止されると共にガイド部材１４がブラケット３の裏面に圧接して一方向に押圧しているので、ガイドレール９，１０に対して指向ガイド部３Ｂ、３Ｃが適正な対向関係に維持されるので、ふらつきなどを生じることがない。このため、ふらつきなどが生じないように注意を払う必要がなく、単純に押し込み操作のみで取り付け支持位置に向けてコントロールユニット４を挿入することができる。しかもふらつきなどによって発生する虞がある他の部品との接触、つまりコントロール基板２の電装部品と周辺の電装部品との接触を強制的な押圧による位置決めによって避けることができるので、接触を注意しながら行う挿脱作業に比較して作業性を高めることができる。
【００３２】
コントロールユニット４に対してプリンタとしての機能増大を図るためにハードディスク６を増設する場合には、コントロールユニット４を開口部１Ａから外部に引き出したうえで、接地スペースＳにハードディスク６を取り付ける。ハードディスク６とコントロール基板２との電気的接続は、コントロール基板２に設けられているコネクタ１１，１２およびハーネス１３を介して行う。このため、増設された機能付加装置であるハードディスク６とコントロール基板２との間の配線は、コントロールユニット４内で済ませることができるので、装置本体内のメイン制御基板７との間で行う場合に比べて配線距離を短くすることができる。この結果、増設の際の配線作業の簡略化とハーネス類の配線長さによる電磁波の影響を低減することができる。
【００３３】
【発明の効果】
請求項１記載の発明によれば、ブラケットに有する指向ガイド部が取り付け支持部のガイドレールで摺動する際に、取り付け支持部に有するガイド部がブラケットに圧接してブラケットを一方向に押圧するようになっているので、指向ガイド部とガイドレールとが適正な対向関係に維持され、ふらつきなどを生じないようにしてふらつきなどに注意を払う必要をなくして挿脱作業が行える。これにより、ふらつきが原因する電装部品と周辺の電装部品との接触を避けるよう作業を不要にして接触を注意しながら行う挿脱作業に比較して作業性を高めることができる。しかも、ガイド部がブラケットを一方向に押圧するように圧接していることにより、ふらつきを防止するのと同時に電装基板の接地回路を構成するという複数の作用を同時に得ることが可能となる。
【００３４】
請求項２記載の発明によれば、電装基板を縦置きされた向きでブラケットを装置本体に有する開口に対して挿脱する際に、ブラケットのふらつきが生じない状態での挿脱作業が可能となり、しかも、挿脱作業時に電装基板の接地回路が構成されることになるので、挿脱作業と接地回路の構成との作業を同時に行えることで電装基板の取り付けに際する作業性を向上させることができる。
【００３５】
請求項３および４記載の発明によれば、電装基板を縦置きされた向きでブラケットを装置本体に有する開口に対して挿脱する際に、ブラケットのふらつきが生じない状態での挿脱作業が可能となり、しかも、挿脱作業時に電装基板の接地回路が構成されることになるので、挿脱作業と接地回路の構成との作業を同時に行えることで電装基板の取り付けに際する作業性を向上させることができる。
【図面の簡単な説明】
【図１】本発明実施例による電装基板の取り付け構造が適用される画像形成装置を斜め後ろから見た外観図である。
【図２】図１に示した画像形成装置の一部の透視図である。
【図３】図１に示した画像形成装置における電装基板の取り付け構造を説明するための部分的な斜視図である。
【符号の説明】
１      画像形成装置
１Ａ    開口部
２      電装基板に相当するコントロール基板
３      ブラケット
３Ａ    外装パネル
３Ｂ、３Ｃ    指向ガイド部
４    コントロール基板を含むコントロールユニット
５    機能付加装置の一つであるＳＤＲＡＭモジュール
６    機能付加装置の他の一つであるハードディスク
７    装置内に位置するメイン制御基板
８、１１，１２    コネクタ
９，１０    ガイドレール
１３    ハードディスクとコントロール基板との接続用ハーネス
１４    接地部材をなすガイド部材
【図１】
0004091747.tif 000002
【図２】
0004091747.tif 000003
【図３】
0004091747.tif 000004